【手続補正書】
【提出日】令和3年10月25日(2021.10.25)
【手続補正１】
【補正対象書類名】特許請求の範囲
【補正対象項目名】全文
【補正方法】変更
【補正の内容】
【特許請求の範囲】
【請求項１】
着座部の骨格となるクッションフレームを備え、
該クッションフレームは、シート幅方向の左右側方に配置され、シート前後方向に延びているサイドフレームと、左右の該サイドフレームの間に架け渡され、プレート状からなるパンフレームと、を有し、
前記サイドフレームと前記パンフレームとの連結部分の間には、前記パンフレームを支持するための支持ブラケットが介在し、
前記支持ブラケットは、前面視において略Ｌ字形状のプレート体であることを特徴とする車両用シート。
【請求項２】
前記サイドフレームに対して前記支持ブラケットを上下方向に回転移動させることで前記パンフレームを昇降させることが可能なチルト装置を備え、
前記チルト装置及び前記サイドフレームを連結する連結軸は、前記サイドフレームの側面に形成された軸穴に軸支され、
前記支持ブラケットのうちシート幅方向の外側に張り出すように設けられた張り出し部と、前記軸穴とが、シート前後方向において重なる位置に配置されていることを特徴とする請求項１に記載の車両用シート。
【請求項３】
前記サイドフレームの上面には、上方へ突出している突出部分が所定位置に形成され、
前記支持ブラケットは、前記サイドフレームの上面に載置される上壁部を有し、
前記上壁部は、前記サイドフレームの上面において前記突出部分を避けるように切り欠き形成されていることを特徴とする請求項１又は２に記載の車両用シート。
【請求項４】
前記パンフレームのシート幅方向の端部分が、前記サイドフレームの外側面まで延びており、前記サイドフレームの上壁部及び側壁部と対向していることを特徴とする請求項1乃至３のいずれか一項に記載の車両用シート。
【請求項５】
前記支持ブラケットの後方部分が、前記サイドフレームの外側面に取り付けられていることを特徴とする請求項１乃至４のいずれか一項に記載の車両用シート。
【請求項６】
シート本体を昇降可能に連結する前側リンク及び後側リンクを有するハイトリンク装置を備え、
前記前側リンク及び前記サイドフレームを連結する連結軸は、前記サイドフレームの側面に形成された軸穴に軸支され、
前記支持ブラケットの後方部分と、前記軸穴とが、シート前後方向において重なる位置に配置されていることを特徴とする請求項１乃至５のいずれか一項に記載の車両用シート。
【請求項７】
前記サイドフレームには、前記支持ブラケットを収納するための収納凹部が所定位置に形成され、
前記支持ブラケットは、前記サイドフレームの上面に載置される上壁部と、前記サイドフレームの側面と対向しながら延びている側壁部と、を有し、
該側壁部の後方部分が、前記サイドフレームの側面に回転軸を介して取り付けられ、
前記側壁部のうち、前記回転軸を介して前記サイドフレームに取り付けられた部分は、シート前後方向において前記サイドフレームのうち、前記収納凹部が形成された部分と異なる位置に配置されていることを特徴とする請求項１乃至６のいずれか一項に記載の車両用シート。
【請求項８】
前記支持ブラケットは、前記サイドフレームの上面に載置される上壁部と、前記サイドフレームの側面と対向しながら延びている側壁部と、を有し、
前記サイドフレームは、フレーム本体と、前記フレーム本体の上端部分からシート幅方向の内側に屈曲して突出する上端フランジと、を有し、
前記上壁部の上面と、前記上端フランジの上面とは、互いに略面一となって配置され、それぞれ前記パンフレームのシート幅方向の端部分に当接可能な支持面として形成されていることを特徴とする請求項１乃至７のいずれか一項に記載の車両用シート。
【請求項９】
前記支持ブラケットは、前記サイドフレームの上面に載置される上壁部と、前記サイドフレームの側面と対向しながら延びている側壁部と、を有し、
前記側壁部の後方部分が、前記サイドフレームの側面に回転軸を介して取り付けられていることを特徴とする請求項１乃至８のいずれか一項に記載の車両用シート。
【請求項１０】
前記支持ブラケットは、前記サイドフレームの上面に載置される上壁部と、前記サイドフレームの側面と対向しながら延びている側壁部と、を有し、
前記サイドフレームに対して前記支持ブラケットを上下方向に回転移動させることで前記パンフレームを昇降させることが可能なチルト装置を備え、
前記チルト装置は、
シート幅方向において前記サイドフレームの内側に配置される駆動ユニットと、
前記駆動ユニットと前記支持ブラケットの間に介在し、前記支持ブラケットを上下方向に回転させるために駆動する駆動リンクと、を有し、
前記側壁部の前方部分は、前記駆動リンクに取り付けられていることを特徴とする請求項１乃至９のいずれか一項記載の車両用シート。
【請求項１１】
前記パンフレームのシート幅方向の端部分が、前記サイドフレームの外側面まで延びて、前記サイドフレームの外側面と、前記支持ブラケットの外側面とに支持され、
前記パンフレームの前記端部分に形成された凸状ビードと、前記支持ブラケットとが、上下方向で対向するように配置され、
前記駆動リンクが前記サイドフレームの側面に形成された貫通穴内を昇降動作することで、前記支持ブラケットが上下方向に回転することを特徴とする請求項１０に記載の車両用シート。
【手続補正２】
【補正対象書類名】明細書
【補正対象項目名】０００８
【補正方法】変更
【補正の内容】
【０００８】
本発明は、上記の課題に鑑みてなされたものであり、本発明の目的は、構成部品の組み付け剛性を向上させ、コンパクトな配置を実現した車両用シートを提供することにある。
また、本発明の他の目的は、車両用シートの仕様や種類によらず、シートフレームの共用化を果たすことが可能な車両用シートを提供することにある。
また、本発明の他の目的は、シートフレームの共用化を目指すにあたり、チルト装置の有無に関わらず着座者の座面位置を統一することが可能な車両用シートを提供することにある。
【手続補正３】
【補正対象書類名】明細書
【補正対象項目名】０００９
【補正方法】変更
【補正の内容】
【０００９】
前記課題は、本発明の車両用シートによれば、着着座部の骨格となるクッションフレームを備え、該クッションフレームは、シート幅方向の左右側方に配置され、シート前後方向に延びているサイドフレームと、左右の該サイドフレームの間に架け渡され、プレート状からなるパンフレームと、を有し、前記サイドフレームと前記パンフレームとの連結部分の間には、前記パンフレームを支持するための支持ブラケットが介在し、前記支持ブラケットは、前面視において略Ｌ字形状のプレート体であること、により解決される。
上記構成により、構成部品の組み付け剛性を向上させ、コンパクトな配置を実現した車両用シートを実現することができる。
【手続補正４】
【補正対象書類名】明細書
【補正対象項目名】００１０
【補正方法】変更
【補正の内容】
【００１０】
このとき、前記サイドフレームに対して前記支持ブラケットを上下方向に回転移動させることで前記パンフレームを昇降させることが可能なチルト装置を備え、前記チルト装置及び前記サイドフレームを連結する連結軸は、前記サイドフレームの側面に形成された軸穴に軸支され、前記支持ブラケットのうちシート幅方向の外側に張り出すように設けられた張り出し部と、前記軸穴とが、シート前後方向において重なる位置に配置されていると良い。
【手続補正５】
【補正対象書類名】明細書
【補正対象項目名】００１１
【補正方法】変更
【補正の内容】
【００１１】
このとき、前記サイドフレームの上面には、上方へ突出している突出部分が所定位置に形成され、前記支持ブラケットは、前記サイドフレームの上面に載置される上壁部を有し、前記上壁部は、前記サイドフレームの上面において前記突出部分を避けるように切り欠き形成されていると良い。
【手続補正６】
【補正対象書類名】明細書
【補正対象項目名】００１２
【補正方法】変更
【補正の内容】
【００１２】
このとき、前記パンフレームのシート幅方向の端部分が、前記サイドフレームの外側面まで延びており、前記サイドフレームの上壁部及び側壁部と対向していると良い。
【手続補正７】
【補正対象書類名】明細書
【補正対象項目名】００１３
【補正方法】変更
【補正の内容】
【００１３】
このとき、前記支持ブラケットの後方部分が、前記サイドフレームの外側面に取り付けられていると良い。
【手続補正８】
【補正対象書類名】明細書
【補正対象項目名】００１４
【補正方法】変更
【補正の内容】
【００１４】
このとき、シート本体を昇降可能に連結する前側リンク及び後側リンクを有するハイトリンク装置を備え、前記前側リンク及び前記サイドフレームを連結する連結軸は、前記サイドフレームの側面に形成された軸穴に軸支され、前記支持ブラケットの後方部分と、前記軸穴とが、シート前後方向において重なる位置に配置されていると良い。
【手続補正９】
【補正対象書類名】明細書
【補正対象項目名】００１５
【補正方法】変更
【補正の内容】
【００１５】
このとき、前記サイドフレームには、前記支持ブラケットを収納するための収納凹部が所定位置に形成され、前記支持ブラケットは、前記サイドフレームの上面に載置される上壁部と、前記サイドフレームの側面と対向しながら延びている側壁部と、を有し、該側壁部の後方部分が、前記サイドフレームの側面に回転軸を介して取り付けられ、前記側壁部のうち、前記回転軸を介して前記サイドフレームに取り付けられた部分は、シート前後方向において前記サイドフレームのうち、前記収納凹部が形成された部分と異なる位置に配置されていると良い。
【手続補正１０】
【補正対象書類名】明細書
【補正対象項目名】００１６
【補正方法】変更
【補正の内容】
【００１６】
このとき、前記支持ブラケットは、前記サイドフレームの上面に載置される上壁部と、前記サイドフレームの側面と対向しながら延びている側壁部と、を有し、前記サイドフレームは、フレーム本体と、前記フレーム本体の上端部分からシート幅方向の内側に屈曲して突出する上端フランジと、を有し、前記上壁部の上面と、前記上端フランジの上面とは、互いに略面一となって配置され、それぞれ前記パンフレームのシート幅方向の端部分に当接可能な支持面として形成されていると良い。
【手続補正１１】
【補正対象書類名】明細書
【補正対象項目名】００１７
【補正方法】変更
【補正の内容】
【００１７】
このとき、前記支持ブラケットは、前記サイドフレームの上面に載置される上壁部と、前記サイドフレームの側面と対向しながら延びている側壁部と、を有し、前記側壁部の後方部分が、前記サイドフレームの側面に回転軸を介して取り付けられていると良い。
【手続補正１２】
【補正対象書類名】明細書
【補正対象項目名】００１８
【補正方法】変更
【補正の内容】
【００１８】
このとき、前記支持ブラケットは、前記サイドフレームの上面に載置される上壁部と、前記サイドフレームの側面と対向しながら延びている側壁部と、を有し、前記サイドフレームに対して前記支持ブラケットを上下方向に回転移動させることで前記パンフレームを昇降させることが可能なチルト装置を備え、前記チルト装置は、シート幅方向において前記サイドフレームの内側に配置される駆動ユニットと、前記駆動ユニットと前記支持ブラケットの間に介在し、前記支持ブラケットを上下方向に回転させるために駆動する駆動リンクと、を有し、前記側壁部の前方部分は、前記駆動リンクに取り付けられていると良い。
【手続補正１３】
【補正対象書類名】明細書
【補正対象項目名】００１９
【補正方法】変更
【補正の内容】
【００１９】
このとき、前記パンフレームのシート幅方向の端部分が、前記サイドフレームの外側面まで延びて、前記サイドフレームの外側面と、前記支持ブラケットの外側面とに支持され、前記パンフレームの前記端部分に形成された凸状ビードと、前記支持ブラケットとが、上下方向で対向するように配置され、前記駆動リンクが前記サイドフレームの側面に形成された貫通穴内を昇降動作することで、前記支持ブラケットが上下方向に回転すると良い。
【手続補正１４】
【補正対象書類名】明細書
【補正対象項目名】００２０
【補正方法】変更
【補正の内容】
【００２０】
本発明によれば、構成部品の組み付け剛性を向上させ、コンパクトな配置を実現した車両用シートを実現することができる。
また本発明によれば、車両用シートの仕様や種類によらず、シートフレームの共用化を果たすことが可能となる。
また本発明によれば、シートフレームの共用化を目指すにあたり、チルト装置の有無に関わらず着座者の座面位置を統一することが可能となる。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００４４
【補正方法】変更
【補正の内容】
【００４４】
Ｓ  車両用シート
１  シートクッション
１ａ，２ａ  クッションパッド
１ｂ，２ｂ  表皮材
２  シートバック
３  リクライニング装置
４  ハイトリンク装置（前側リンク、後側リンク）
１０  クッションフレーム
１１  サイドフレーム
１２  パンフレーム
１２ａ  左右両端部分
１２ｂ  第１凸状ビード
１２ｃ  第２凸状ビード
１２ｄ  開口孔
１３  後方フレーム
１４  弾性バネ
２０  チルトブラケット（支持ブラケット）
２１  上壁部
２２  側壁部
２３  回転軸
２４  連結ピン
３０  チルト装置
３１  駆動ユニット
３２  ピニオンギア
３３  回動軸
３４  セクターギア
３５  回動ピン
３６  駆動リンク
１１０  フレーム本体
１１１  上端フランジ
１１２  下端フランジ
１１３  収納凹部
１１３ａ  第１収納凹部
１１３ｂ  第２収納凹部
１１４  貫通穴